(57)【特許請求の範囲】
【請求項１】
伝送路がアナログ的に切り替わる光スイッチと、
前記光スイッチの伝送路切替速度を変更する切替速度変更手段と、
前記光スイッチが出力する光を増幅する光増幅器と、
前記光増幅器の出力が所定値または所定範囲内の値になるように前記光増幅器の利得を制御する利得制御手段と、
前記光スイッチによる伝送路切替前において前記光増幅器に入力される光強度を検出する光強度検出手段と、を備え、
前記切替速度変更手段は、前記光強度検出手段の検出結果に基づいて、前記光増幅器の出力光強度が許容範囲に入るように前記利得制御手段によって利得が制御されるように、前記伝送路切替速度を変更することを特徴とする光受信器。
【請求項２】
前記光強度検出手段の検出結果に基づいて、前記光増幅器に入力される光の伝送路切替前後での光強度差を推定する光強度差推定手段をさらに備え、
前記切替速度変更手段は、前記推定手段によって推定された光強度差に基づいて、前記伝送路切替速度を変更することを特徴とする請求項１記載の光受信器。
【請求項３】
前記光スイッチは、複数の入力ポートを備え、
前記光強度検出手段は、前記複数の入力ポートのそれぞれに入力される光強度を検出することを特徴とする請求項１または２記載の光受信器。
【請求項４】
前記切替速度変更手段は、前記複数の入力ポートに入力される光強度差に基づいて、前記伝送路切替速度を変更することを特徴とする請求項３記載の光受信器。
【請求項５】
前記切替速度変更手段は、前記伝送路切替前後での光強度差が大きいほど、前記伝送路切替速度を小さくすることを特徴とする請求項１〜４のいずれかに記載の光受信器。
【請求項６】
前記光強度検出手段の検出結果と前記伝送路切替速度との対応関係をあらかじめ格納したメモリをさらに備え、
前記切替速度変更手段は、前記メモリに格納された対応関係に従って前記伝送路切替速度を変更することを特徴とする請求項１〜５のいずれかに記載の光受信器。
【請求項７】
前記伝送路切替前後での光強度差に基づいて、波長分散補償量の最適値の変化量を推定する変化量推定手段と、
前記変化量推定手段の推定結果に基づいて、前記光増幅器の後段の可変波長分散補償器の分散量の設定を変更する分散量変更手段と、をさらに備えることを特徴とする請求項１〜６のいずれかに記載の光受信器。
【請求項８】
前記変化量推定手段の推定結果と前記可変波長分散補償器の分散量との対応関係をあらかじめ格納したメモリをさらに備え、
前記分散量変更手段は、前記メモリに格納された対応関係に従って前記可変波長分散補償器の分散量の設定を変更することを特徴とする請求項７記載の光受信器。
【請求項９】
前記分散量変更手段による変更後の分散量が前記可変波長分散補償器の設定範囲を超える場合に、警告を発する警告手段をさらに備えることを特徴とする請求項７または８記載の光受信器。
【請求項１０】
前記利得制御手段は、前記光増幅器をホットスタンバイさせ、
前記切替速度変更手段は、前記利得制御手段による前記光増幅器のＡＰＣ制御ループよりも長い時間をかけて前記光スイッチの伝送路が切り替わるように前記伝送路切替速度を変更することを特徴とする請求項１〜９のいずれかに記載の光受信器。
【請求項１１】
伝送路がアナログ的に切り替わる光スイッチと、前記光スイッチが出力する光を増幅する光増幅器と、前記光増幅器の出力が所定値または所定範囲内の値になるように前記光増幅器の利得を制御する利得制御手段と、を備える光受信器において、
前記光スイッチによる伝送路切替前において前記光増幅器に入力される光強度を検出し、
前記検出の結果に基づいて、前記光増幅器の出力光強度が許容範囲に入るように前記利得制御手段によって利得が制御されるように、前記光スイッチの伝送路切替速度を変更し、
前記光スイッチの伝送路をアナログ的に切り替えることを特徴とする光受信方法。
【請求項１２】
前記伝送路の切替前後での光強度差が大きいほど、前記伝送路切替速度を小さくすることを特徴とする請求項１１記載の光受信方法。
【発明の詳細な説明】
【技術分野】
【０００１】
本発明は、光受信器および光受信方法に関する。
【背景技術】
【０００２】
信頼性設計の観点から、光伝送装置（光伝送システム）はネットワーク回線に冗長構成を持つことがある。この中継回線冗長方式の一例として、ＯＵＰＳＲ（Optical Unidirectional Path Switched Ring）方式がある。ＯＵＰＳＲ方式は、1つのトランスポンダーユニット内部の受信側に搭載された光スイッチの切替えにより、波長単位での中継回線冗長を実現するものである。
【先行技術文献】
【特許文献】
【０００３】
【特許文献１】特開平１１−１７２６１号公報
【発明の概要】
【発明が解決しようとする課題】
【０００４】
ネットワーク網の長距離化および複雑化が進むにつれて、受信側ユニットに要求される光入力ダイナミックレンジは非常に広くなる。これにより、ＯＵＰＳＲ機能による光スイッチ切替えによって、上記の光入力ダイナミックレンジ相当の光入力パワーレベル変動が瞬間的に発生することがある。受信器前方に光増幅器が配置される構成を持つ光トランスポンダーユニットを使用する場合、受信器直前に配置される光増幅器にて光サージが発生する。この光サージは受信器の受光素子にダメージを与える可能性がある。
【０００５】
伝送レートが低い伝送システムでは受信器モジュール自身が広い入力ダイナミックレンジをもっているため、受信器前に光増幅器を配置する必要はなかった。また、受信器前に光増幅器が配置された場合でも、光増幅器に要求される光サージ抑圧量は緩いものであった。
【０００６】
高速の伝送特性が要求される伝送システムにおいては、波長分散補償器等の光部品がトランスポンダーユニット内に搭載される。この構成では、光部品の損失を補償して受信レベルが受信モジュールのダイナミックレンジ内に収まるよう光パワーレベルを調整するために、光増幅器が必要となる。伝送レートが高い高速伝送用光モジュールは、低速のものと同等な広い入力ダイナミックレンジが取れないため、同じサージ量が発生するとダイナミックレンジを超えてしまう。
【０００７】
なお、複数の光増幅器を設けて複数段構成とすることによって光サージ量を抑制することができる。しかしながら、トランスポンダーの将来的な小型化、低消費電力化およびコストダウンに向けて光増幅器は１段化構成とされていく方向性にあると考えられる。なお、特許文献１の技術は、増幅媒体の下流側の伝送路への光の伝送方法に関するものであるため、光スイッチの後段に光増幅器が配置される構成に適用できる技術ではない。
【０００８】
本発明は上記課題に鑑みなされたものであり、光増幅器の光サージを抑制することができる光受信器および光受信方法を提供することを目的とする。
【課題を解決するための手段】
【０００９】
上記課題を解決するために、明細書開示の光受信器は、伝送路がアナログ的に切り替わる光スイッチと、光スイッチの伝送路切替速度を変更する切替速度変更手段と、光スイッチが出力する光を増幅する光増幅器と、光増幅器の出力が所定値または所定範囲内の値になるように光増幅器の利得を制御する利得制御手段と、光スイッチによる伝送路切替前において光増幅器に入力される光強度を検出する光強度検出手段と、を備え、切替速度変更手段は、光強度検出手段の検出結果に基づいて、光増幅器の出力光強度が許容範囲に入るように利得制御手段によって利得が制御されるように、伝送路切替速度を変更するものである。
【００１０】
上記課題を解決するために、明細書開示の光受信方法は、伝送路がアナログ的に切り替わる光スイッチと、光スイッチが出力する光を増幅する光増幅器と、光増幅器の出力が所定値または所定範囲内の値になるように光増幅器の利得を制御する利得制御手段と、を備える光受信器において、光スイッチによる伝送路切替前において光増幅器に入力される光強度を検出し、検出の結果に基づいて、光増幅器の出力光強度が許容範囲に入るように利得制御手段によって利得が制御されるように、光スイッチの伝送路切替速度を変更し、光スイッチの伝送路をアナログ的に切り替えるものである。
【発明の効果】
【００１１】
明細書開示の光受信器および光受信方法によれば、光増幅器で発生する光サージ量を抑制することができる。
【図面の簡単な説明】
【００１２】
【図１】実施例１に係る光受信器の全体構成を説明するためのブロック図である。
【図２】光スイッチの伝送路切替速度が大きい場合に光増幅器に入力される光強度について説明するための図である。
【図３】光スイッチの伝送路切替速度を説明するための図である。
【図４】光スイッチに入力される光強度と光スイッチの伝送路切替速度との関係の一例を説明するための図である。
【図５】メモリに格納されるデータの一例を説明するための図である。
【図６】伝送路切替速度と光サージ量との関係についての実験結果について説明するための図である。
【図７】実験装置における立ち上がり時間（Ｔｆ）と光サージ量との関係を説明するための図である。
【図８】実施例２に係る光受信器の全体構成を説明するためのブロック図である。
【図９】実施例３に係る光受信器の全体構成を説明するためのブロック図である。
【図１０】メモリに格納されるデータの一例を説明するための図である。
【図１１】分散設定値が最大分散補償範囲を超える場合について説明するための図である。
【図１２】実施例４に係る光受信器の全体構成を説明するためのブロック図である。
【発明を実施するための形態】
【００１３】
以下、図面を参照しつつ、実施例について説明する。
【実施例１】
【００１４】
図１は、実施例１に係る光受信器１００の全体構成を説明するためのブロック図である。光受信器１００は、冗長回線（Ｗｏｒｋ側回線およびＰｒｏｔｅｃｔｉｏｎ側回線）に接続される光受信器である。図１を参照して、光受信器１００は、入力部１０、光スイッチ２０、光増幅器３０、受光器４０、および回路部５０を含む。回路部５０は、制御回路５１、駆動回路５２、Ｄ／Ａ変換回路５３、Ｉ／Ｖ変換回路５４、Ａ／Ｄ変換回路５５、駆動回路５６、Ｄ／Ａ変換回路５７、およびメモリ５８を含む。
【００１５】
入力部１０は、第１入力ポート１１および第２入力ポート１２を含む。第１入力ポート１１は、Ｗｏｒｋ側の回線Ａに接続されている。第２入力ポート１２は、Ｐｒｏｔｅｃｔｉｏｎ側の回線Ｂに接続されている。Ｗｏｒｋ側の回線は稼動回線と称されることもあり、Ｐｒｏｔｅｃｔｉｏｎ側の回線は待機回線または予備回線と称されることもある。
【００１６】
光スイッチ２０は、伝送路を切り替えるスイッチである。本実施例においては、光スイッチ２０は、駆動回路５２から与えられる電流に応じて、第１入力ポート１１から光増幅器３０に到達する第１伝送路と第２入力ポート１２から光増幅器３０に到達する第２伝送路との間で切替を行う。また、光スイッチ２０は、第１伝送路と第２伝送路とを不連続的に（デジタル的に）切り替えるのではなく、連続的に（アナログ的に）切り替える。すなわち、伝送路が第１伝送路から第２伝送路に切り替わる場合、光スイッチ２０を通過する光のうち、第１入力ポート１１から入力される光の出力比率が見かけ上連続的に低下するとともに、第２入力ポート１２から入力される光の出力比率が見かけ上連続的に上昇する。例えば、光スイッチ２０として、プレーナ光回路（ＰＬＣ）等の導波型熱制御タイプの光スイッチを用いることができる。
【００１７】
光増幅器３０は、入力される光を増幅して出力する光部品である。光増幅器３０として、例えば、希土類ファイバ光増幅器を用いることができる。光増幅器３０は、駆動回路５６から与えられる電流によって駆動される励起光に応じたゲインで、光スイッチ２０から入力される光を増幅して出力する。光増幅器３０は、受光素子３１を含む。受光器４０は、光増幅器３０によって出力された光を受光する。
【００１８】
制御回路５１は、光増幅器３０を駆動するための駆動電流を算出し、その算出結果をＤ／Ａ変換回路５７にデジタル信号を入力する。Ｄ／Ａ変換回路５７は、入力されたデジタル信号を電圧信号に変換し、駆動回路５６に入力する。駆動回路５６は、入力された電圧信号に応じた電流を駆動電流として光増幅器３０に入力する。本実施例においては、制御回路５１は、光増幅器３０から出力される光強度が一定値または一定範囲内の値になるように駆動回路５６を制御することによって、光増幅器３０をＡＰＣ（Automatic Power Control）制御する。したがって、本実施例においては、制御回路５１、Ｄ／Ａ変換回路５７および駆動回路５６が利得制御手段として機能する。
【００１９】
また、制御回路５１は、受光素子３１の検出結果に基づいて光スイッチ２０の伝送路切替速度を制御する。まず、受光素子３１は光増幅器３０に入力された光強度に応じて電流をＩ／Ｖ変換回路５４に入力する。Ｉ／Ｖ変換回路５４は、入力された電流に応じて電圧信号を生成し、Ａ／Ｄ変換回路５５に入力する。Ａ／Ｄ変換回路５５は、入力された電圧信号に応じてデジタル信号を生成し、制御回路５１に入力する。それにより、制御回路５１は、光増幅器３０に入力される光強度を得ることができる。したがって、本実施例においては、受光素子３１が光強度検出手段として機能する。
【００２０】
制御回路５１は、入力されたデジタル信号に基づいて光スイッチ２０を駆動するための駆動電流を算出し、その算出結果に基づいてＤ／Ａ変換回路５３にデジタル信号を入力する。Ｄ／Ａ変換回路５３は、入力されたデジタル信号を電圧信号に変換し、駆動回路５２に入力する。駆動回路５２は、入力された電圧信号に応じた電流を駆動電流として光スイッチ２０に入力する。光スイッチ２０は、入力された駆動電流に応じた切替速度で伝送路を切り替える。したがって、本実施例においては、制御回路５１、Ｄ／Ａ変換回路５３および駆動回路５２が切替速度変更手段として機能する。
【００２１】
例えば、光スイッチ２０が導波型熱制御タイプの光スイッチである場合には、導波路に備わっているヒータへの供給電流の増減速度を制御することによって、光スイッチ２０の伝送路切替速度を制御することができる。
【００２２】
次に、光スイッチ２０の伝送路切替速度について説明する。図２は、光スイッチ２０の伝送路切替速度が大きい場合に光増幅器３０に入力される光強度について説明するための図である。図２において、横軸は時間を示し、縦軸は光スイッチ２０から出力される光強度を示す。また、図２においては、第２入力ポート１２に入力される光強度が第１入力ポート１１に入力される光強度よりも大きくかつ光スイッチ２０の入力ポートが第１入力ポートから第２入力ポートに切り替わる場合が描かれている。
【００２３】
図２で説明されるように、光スイッチ２０の伝送路切替速度が大きい場合、光スイッチ２０によって出力される光強度の変動速度が大きくなり、制御回路５１によるＡＰＣ制御が間に合わなくなる。その結果、光増幅器から見ると、見かけ上、光強度が不連続に突然大きくなる。第１入力ポート１１に入力される光の強度と第２入力ポート１２に入力される光の強度との差分（以下、差分Ｄと称する。）が小さい場合には、光スイッチ２０の伝送路切替速度が大きくても光増幅器３０における光サージの発生量が小さい。しかしながら、差分Ｄが大きくなると、光増幅器３０において光サージが発生しやすくなる。
【００２４】
そこで、本実施例においては、制御回路５１は、差分Ｄに応じて光スイッチ２０における伝送路切替速度を変更する制御を行う。具体的には、制御回路５１は、光増幅器３０の出力光強度が後段の光学部品の許容範囲に入るようＡＰＣ制御が間に合うように、伝送路切替速度を変更する。図３は、光スイッチ２０の伝送路切替速度を説明するための図である。図３において、横軸は時間を示し、縦軸は各入力ポートに入力される光の、光スイッチ２０からの出力比率を示す。
【００２５】
制御回路５１は、差分Ｄが大きい場合には、図３のケース（１）で説明されるように、光スイッチ２０を通過する伝送路を第１伝送路から第２伝送路にアナログ的（連続的）に低い切替速度で切り替える。図３のケース（１）の場合では、第１入力ポート１１に入力される光の出力比率が徐々に低下するとともに、第２入力ポート１２に入力される光の出力比率が徐々に増加する。
【００２６】
図３のケース（２）はケース（１）の場合よりも差分Ｄが大きい場合であり、ケース（３）はケース（２）の場合よりも差分Ｄが大きい場合である。制御回路５１は、図３で説明されるように、ケース（２）の伝送路切替速度をケース（１）よりも小さく制御し、ケース（３）の伝送路切替速度をケース（２）よりもさらに小さく制御する。この場合、時間に対する光スイッチ２０の出力変動率を低下させることができる。それにより、光増幅器３０の光サージの発生を抑制することができる。なお、ここでは図３（１）のケースを差分Ｄが大きい場合として説明したが、図３（１）のケースは光スイッチ２０の切替速度の初期値であってもよい。
【００２７】
図４は、光スイッチ２０に入力される光強度と光スイッチ２０の伝送路切替速度との関係の一例を説明するための図である。図１の受光素子３１は、現時点で接続されている伝送路から光増幅器３０に入力される光強度を検出することができるが、伝送路切替後の光強度を伝送路切替前に検出することができない。そこで、図４で説明されるように、制御回路５１は、受光素子３１が現在検出している光強度から、切替後に予想される最大変動量を推定し、切替後の光増幅器３０に光サージが発生しないような切替速度を設定する。したがって、本実施例においては、制御回路５１が光強度推定手段として機能する。
【００２８】
例えば、図４を参照して、光増幅器３０の入力ダイナミックレンジが−２２ｄＢｍ〜＋２ｄＢｍ（２４ｄＢ）の場合に、光スイッチ２０が第１伝送路（Ｗｏｒｋ側伝送路）を選択し、第１伝送路を経由して光スイッチ２０に入力される光強度が−１０ｄＢｍであるとする。この場合、伝送路が第２伝送路に切り替えられたとすると、光増幅器３０に入力される光強度の変動量は最大で１２ｄＢとなる。この光変動量を持つ光が光増幅器３０に入力されることを想定して、制御回路５１は、光サージ量が光増幅器３０の後段の光学部品に許容されるように光スイッチ２０の伝送路切替速度を制御する。
【００２９】
なお、受光素子３１によって検出される光強度と伝送路切替速度との関係をあらかじめメモリ５８に格納しておき、制御回路５１は、メモリ５８に格納してある伝送路切替速度を読み出してもよい。図５は、メモリ５８に格納されるデータの一例を説明するための図である。図５を参照して、メモリ５８は、例えば、受光素子３１の検出光強度、想定される最大光変動量、伝送路切替速度等を格納する。
【００３０】
次に、伝送路切替速度と光サージ量との関係についての実験結果について説明する。図６（ａ）は、実験装置２００の構成を説明するための図である。図６（ａ）で説明されるように、実験装置２００は、光源２０１（レーザダイオード）、任意波形発生器２０２、光増幅器２０３、減衰器２０４、および受光器２０５を含む。
【００３１】
光源２０１は、光を任意波形発生器２０２に対して出力する。任意波形発生器２０２は、光源２０１からの光の波形を調整して光増幅器２０３に出力する。光増幅器２０３は、入力された光を増幅して減衰器２０４に出力する。減衰器２０４は、光増幅器２０３の出力が急変する前の、受光器２０５に入力される光強度を調整する。受光器２０５は、減衰器２０４からの光を受光する。
【００３２】
実験においては、任意波形発生器２０２に、複数種類の立ち上がり時間（Ｔｆ）で、光増幅器２０３への入力光強度を−２１．７ｄＢｍから＋１．３ｄＢｍまで２３ｄＢｍ変動させた。なお、立ち上がり時間は、図６（ｂ）で説明されるように、光強度の最大変動量の１０％から９０％までの間の時間と定義した。
【００３３】
図７（ａ）は、実験装置２００における立ち上がり時間（Ｔｆ）と光サージ量との関係を説明するための図である。図７（ａ）を参照して、光サージ量は、立ち上がり時間（Ｔｆ）が５０μｓの場合は１２．０ｄＢ程度、立ち上がり時間（Ｔｆ）が１００μｓの場合は９．６ｄＢ程度となった。
【００３４】
図７（ｂ）は、図７（ａ）の関係に、光増幅器が２つ設けられた場合の立ち上がり時間（Ｔｆ）と光サージ量との関係を付加した図である。図７（ｂ）を参照して、光増幅器を２つ設ける方が光サージ量は小さくなったが、立ち上がり時間（Ｔｆ）が短いほど光サージ量は大きくなった。したがって、光増幅器の数によらず、光サージ量は立ち上がり時間（Ｔｆ）が短くになるにつれて大きくなった。
【００３５】
図７（ａ）および図７（ｂ）の実験結果から、立ち上がり時間（Ｔｆ）を長くすることによって、光サージ量が抑制され、受信器等の故障が抑制されることがわかった。したがって、本実施例のように差分Ｄが大きいほど伝送路切替速度を小さくすることによって、光サージの発生を抑制することができることが立証された。
【００３６】
本実施例によれば、冗長構成のネットワーク回線に接続される光受信器１００において、光スイッチ２０の伝送路切替速度を変更することによって、光増幅器３０における光サージを抑制することができる。また、受光素子３１の受光結果に基づいて伝送路切替速度を変更することによって、光増幅器３０における光サージを効果的に抑制することができる。さらに、差分Ｄが大きくなるほど伝送路切替速度を小さくすることによって、光増幅器３０における光サージをより効果的に抑制することができる。
【実施例２】
【００３７】
図８は、実施例２に係る光受信器１００ａの全体構成を説明するためのブロック図である。光受信器１００ａが図１の光受信器１００と異なる点は、受光素子３１の代わりに受光素子６１，６２を備える点である。受光素子６１は、第１入力ポート１１と光スイッチ２０との間に設けられている。受光素子６２は、第２入力ポート１２と光スイッチ２０との間に設けられている。
【００３８】
実施例２によれば、受光素子６１，６２を用いて各入力ポートに入力される光強度を検出することによって、差分Ｄを正確に検出することができる。この検出された差分Ｄに基づいて伝送路切替速度を設定することによって、伝送路切替速度を最適化することができる。それにより、光サージの発生をより効果的に抑制することができる。
【実施例３】
【００３９】
図９は、実施例３に係る光受信器１００ｂの全体構成を説明するためのブロック図である。光受信器１００ｂが図８の光受信器１００ａと異なる点は、光増幅器３０と受光器４０との間に可変波長分散補償器（ＴＤＣ：Tunable Dispersion Compensator）６３および光増幅器６４をさらに備え、また、警告手段６５を備える点である。光増幅器３０の出力光は可変波長分散補償器６３に入力される。可変波長分散補償器６３の出力光は、光増幅器６４に入力される。光増幅器６４の出力光は、受光器４０に入力される。
【００４０】
本実施例においては、制御回路５１は、受光素子６１，６２の検出結果に基づいて差分Ｄを検出し、検出された差分Ｄに基づいて光スイッチ２０の伝送路切替後における波長分散量の変動量を推定する。制御回路５１は、伝送路切替と同時に、上記の推定された波長分散量をフィードフォワード制御によって可変波長分散補償器６３に粗調整レベルで設定する。それにより、伝送路切替後における信号疎通までの時間を短縮化することができる。本実施例においては、制御回路５１が変化量推定手段および分散量変更手段として機能する。
【００４１】
その後、ビットエラーが最小となるように、最適調整および微調整を行ってもよい。なお、可変波長分散補償器６３に設定する分散量の符号は、伝送路で生じる波長分散量の符号と逆になる。例えば、伝送路の波長分散量が＋１０００ｐｓ／ｎｍである場合に、可変波長分散補償器６３への設定量は−１０００ｐｓ／ｎｍとなる。
【００４２】
ビットエラーが最小になるまで可変波長分散補償器６３の分散量設定およびビットエラーレート確認を繰り返すと、粗調整および微調整を含めた最適化調整までに数十秒の時間を要してしまう。しかしながら、本実施例においては、短時間で粗調整を行うことができるため、最適な分散値設定までの時間を短縮化することができる。
【００４３】
例えば、第１入力ポート１１に入力される光強度が−１０ｄＢｍの場合に可変波長分散補償器６３の分散設定値がＸＸＸｐｓ／ｎｍ（ＸＸＸは適当な値）であるとする。また、第２入力ポート１２に入力される光強度が−２０ｄＢｍであるとする。
【００４４】
この場合、光スイッチ２０の伝送路が第１伝送路から第２伝送路に切り替わると、光強度の変動量は１０ｄＢ減少となる。１０ｄＢの減少変動によって変更される伝送距離の概算値は、伝送路の損失を０．２ｄＢ／ｋｍであるとすると、５０ｋｍ（増加）となる。ＳＭＦ（Single Mode Fiber）伝送路を用いた場合、「５０ｋｍ」は８５０ｐｓ／ｎｍの残留分散シフト量に相当する。したがって、光スイッチ２０による伝送路切替後に即座に可変波長分散補償器６３に対して（ＸＸＸ−８５０）ｐｓ／ｎｍの分散値（粗調整）を設定すればよい。
【００４５】
なお、受光素子６１，６２によって検出される光強度差と概算伝送距離と分散補正値との関係をあらかじめメモリ５８に格納しておき、制御回路５１は、メモリ５８に格納してある分散補正値を読み出してもよい。図１０は、メモリ５８に格納されるデータの一例を説明するための図である。図１０を参照して、メモリ５８は、例えば、受光素子６１，６２によって検出される光強度差、概算伝送距離、分散補正値等を格納する。
【００４６】
ところで、演算の結果、伝送路の切替後に設定される分散量が可変波長分散補償器６３の設定可能範囲を超える場合もありえる。例えば、光受信器１００ｂは、切替後の分散補償に問題がある旨をユーザにあらかじめ伝える警告を発してもよい。図１１は、分散設定値が最大分散補償範囲を超える場合について説明するための図である。
【００４７】
例えば、可変波長分散補償器６３の最大分散補償範囲が±１０００ｐｓ／ｎｍである場合において、第１入力ポート１１に入力される光強度が−１０ｄＢｍ、可変波長分散補償器６３の分散設定値が−５００ｐｓ／ｎｍであるとする。この場合、第２入力ポート１２に入力される光強度が−２０ｄＢｍであれば、伝送路切替による光強度の変動量は１０ｄＢ減少となる。
【００４８】
１０ｄＢの減少変動によって変更される伝送距離の概算値は、伝送路の損失を０．２ｄＢ／ｋｍであるとすると、５０ｋｍとなる。ＳＭＦ伝送路を用いた場合、「５０ｋｍ」は８５０ｐｓ／ｎｍの残留分散シフト量に相当する。したがって、光スイッチ２０による伝送路切替後に即座に可変波長分散補償器６３に対して設定すべき値は、（−５００−８５０）＝−１３５０ｐｓ／ｎｍとなって可変波長分散補償器６３の可変範囲（±１０００ｐｓ／ｎｍ）を越える。制御回路５１は、この場合に、警告手段６５からユーザに警告が発せされるように、警告手段６５に信号を送信する。
【実施例４】
【００４９】
図１２は、実施例４に係る光受信器１００ｃの全体構成を説明するためのブロック図である。光受信器１００ｃは、１本の回線に接続され光増幅器および受光器を２組備える冗長構成を有する光受信器である。図１２を参照して、光受信器１００ｃが図１の光受信器１００と異なる点は、入力部１０の代わりに入力部１０ｃを備える点、および、光増幅器３０ｃおよび受光器４０ｃをさらに備える点である。光増幅器３０ｃは、受光素子３１ｃを備える。
【００５０】
入力部１０ｃは、入力ポートを１つ備える。本実施例においては、光スイッチ２０は、図１とは逆向きに配置されている。具体的には、光スイッチ２０は、入力部１０ｃから光増幅器３０に到達する第１伝送路（Ｗｏｒｋ側伝送路）と入力部１０ｃから光増幅器３０ｃに到達する第２伝送路（Ｐｒｏｔｅｃｔｉｏｎ側伝送路）とを切り替える。本実施例においては、光増幅器３０および受光器４０をＷｏｒｋ側ユニットと称し、光増幅器３０ｃおよび受光器４０ｃをＰｒｏｔｅｃｔｉｏｎ側ユニットと称する。
【００５１】
光受信器１００ｃにおいては、制御回路５１は、Ｐｒｏｔｅｃｔｉｏｎ側ユニットの光増幅器３０ｃにホットスタンバイ（光増幅器の励起光を光らせた状態）させるように、駆動回路５６を制御する。この場合、光増幅器３０ｃの立ち上がり時間を短縮することができる。しかしながら、光スイッチ２０の伝送路切替速度が大きい場合には光増幅器３０ｃにとっては入力レベルが急激に変化することになる。その結果、光増幅器３０ｃにて光サージを発生させてしまうことになる。
【００５２】
本実施例においては、制御回路５１は、上記各実施例と同様の手順により、ＡＰＣ制御ループよりも長い時間かけて光スイッチ２０の伝送路が切り替わるように、伝送路切替速度を変更する。それにより、光増幅器３０ｃにおける光サージの発生を抑制することができる。
【００５３】
このように、最適な伝送路切替速度を選択して光サージの発生を抑えることができるため、光増幅器をホットスタンバイ状態で待機させた冗長構成を採ることができる。その結果、伝送路切替時のＰｒｏｔｅｃｔｉｏｎ側ユニットの立ち上がり時間を短縮させることができる。
【００５４】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５５】
１０  入力部
１１  第１入力ポート
１２  第２入力ポート
２０  光スイッチ
３０  光増幅器
３１  受光素子
４０  受光器
５０  回路部
５１  制御回路
５２  駆動回路
５３  Ｄ／Ａ変換回路
５４  Ｉ／Ｖ変換回路
５５  Ａ／Ｄ変換回路
５６  駆動回路
５７  Ｄ／Ａ変換回路
５８  メモリ
１００  光受信器
【図１】
0005471116.tif 000002
【図２】
0005471116.tif 000003
【図３】
0005471116.tif 000004
【図４】
0005471116.tif 000005
【図５】
0005471116.tif 000006
【図６】
0005471116.tif 000007
【図７】
0005471116.tif 000008
【図８】
0005471116.tif 000009
【図９】
0005471116.tif 000010
【図１０】
0005471116.tif 000011
【図１１】
0005471116.tif 000012
【図１２】
0005471116.tif 000013